(57)【要約】【課題】大容量の加湿機能を発揮することができ、また加湿気流が使用者に直接に当たらないようにして体感温度を下げないようにする。【解決手段】本体１に吸込口２と吹出口３を連通する空気清浄フィルター６を備えた空気清浄風路４及び加湿手段７を備えた加湿風路５と、第１吸気口８、第２吸気口９及び上吐出口１０を備えた両吸込送風機１１を有し、空気清浄風路４は吸込口２、空気清浄フィルター６、両吸込送風機１１の第１吸気口８、上吐出口１０、吹出口３の順に連通し、加湿風路５は吸込口２、空気清浄フィルター６、加湿手段７、両吸込送風機１１の第２吸気口９、上吐出口１０、吹出口３の順に連通し、両吸込送風機１１のケーシング１３内部を吸気口から上吐出口１０に至るまで分割する仕切板１４を両吸込型遠心ファン１２の主板１５のなす同一面上に形成することにより、加湿能力を十分に発揮させ、騒音を低減する加湿機能付空気清浄機を提供できる。【選択図】図２
2009174790.tif 000002
【特許請求の範囲】
【請求項１】
本体の側面に設けた吸込口と、本体の天面に設けた吹出口と、前記吸込口と吹出口に連通する空気清浄風路および加湿風路と、前記空気清浄風路に設けた空気清浄フィルターと、前記加湿風路に設けた加湿手段と、第１吸気口、第２吸気口および上吐出口を備えた両吸込送風機を有し、前記空気清浄風路は吸込口、空気清浄フィルター、両吸込送風機の第１吸気口、上吐出口、吹出口の順に連通し、前記加湿風路は吸込口、空気清浄フィルター、加湿手段、両吸込送風機の第２吸気口、上吐出口、吹出口の順に連通し、前記両吸込送風機は、両吸込型遠心ファンおよびケーシングを備え、このケーシングにケーシング内部を吸気口から上吐出口に至るまで空気清浄風路と加湿風路とに分割する仕切板を設け、この仕切板を前記両吸込型遠心ファンの主板のなす同一面上に形成してなる加湿機能付空気清浄機。
【請求項２】
両吸込送風機の上吐出口に、本体天面に設けた吹出口を直結させてなる請求項１記載の加湿機能付空気清浄機。
【請求項３】
加湿風路の吹出口に至る上流側壁面に、本体の前方方向に傾斜する傾斜部を形成してなる請求項１または２記載の加湿機能付空気清浄機。
【請求項４】
本体内にマイナスイオン発生装置を設け、このマイナスイオン発生装置のマイナスイオン発生部を空気清浄風路に挿入してなる請求項１〜３のいずれかに記載の加湿機能付空気清浄機。
【請求項５】
マイナスイオン発生装置のイオン発生部を、ケーシングの舌部の後流側で、かつ仕切板に近接して設けた請求項４記載の加湿機能付空気清浄機。
【請求項６】
ケーシングの舌部の裏側に空気清浄フィルターから第２吸気口まで連通した舌部内風路を設け、この舌部内風路に補助イオン発生部を備えた請求項４記載の加湿機能付空気清浄機。
【請求項７】
ケーシングの舌部の裏側に空気清浄フィルターから第２吸気口まで連通した舌部内風路を設け、マイナスイオン発生装置の電源部を前記舌部内風路に当接して設けた請求項４〜６のいずれかに記載の加湿機能付空気清浄機。
【請求項８】
吹出口の端部に回動可能に軸支された風向変更板を設け、この風向変更板は仕切板で分離されたマイナスイオンを含む空気清浄気流と加湿気流を混合させるとともに、各気流を一体的に風向変更可能とした請求項４記載の加湿機能付空気清浄機。
【請求項９】
吹出口に至るまで延設された仕切板と、この仕切板の後流側に回動可能に軸支された風向変更板を設け、この風向変更板は仕切板で分離された空気清浄気流と加湿気流の、少なくとも一方の風向を変更可能に設けた請求項１記載の加湿機能付空気清浄機。
【請求項１０】
空気清浄風路を本体の後部側に設け、吸込口を本体の側面後方に設けた請求項９記載の加湿機能付空気清浄機。
【発明の詳細な説明】
【技術分野】
【０００１】
本発明は、空気を浄化しながら加湿することのできる加湿機能付空気清浄機に関する。
【背景技術】
【０００２】
従来、この種の加湿機能付空気清浄機として、上流側に空気清浄部を設け、下流側に加湿部を設けた加湿機能付空気清浄機が知られている（例えば、特許文献１参照）。
【０００３】
以下、その加湿機能付空気清浄機について図１０および図１１を参照しながら説明する。
【０００４】
図に示すように、吸気口１０１と排気口１０２を設けた本体ケース１０３内の空気流路１０４にフィルター１０５と、フィルター１０５の下流側に配置される送風手段１０６と、本体ケース１０３の下方に配置され、フィルター１０５により浄化された空気流路１０４の空気の一部が選択的に取り込まれる加湿流路１０７と、加湿流路１０７に配置された加湿手段１０８と、加湿された空気を外部に吹出す吹出口１０９を設け、送風手段１０６のケーシング１１０の一部は案内板１１１により形成され、案内板１１１はリンク１１２を介して閉鎖する位置または開放する位置との間を移動し、加湿流路１０７を開閉するように構成されている。
【特許文献１】特開２００５−６１６５５号公報
【発明の開示】
【発明が解決しようとする課題】
【０００５】
このような従来の加湿機能付空気清浄機では、ケーシング１１０の一部を開放して形成された加湿流路１０７に加湿手段１０８が配置されているので、空気清浄部のフィルター１０５に圧損負荷のかかる送風手段１０６のケーシング１１０の一部により加湿流路１０７が設けられることなり、所定の送風量が得られないため加湿量が少ないという課題がある。
【０００６】
また、加湿運転を行なう場合は、加湿流路１０７を通して加湿気流が本体ケース１０３前面より吹き出され、加湿気流が使用者に向けて直接吹き出され、体感温度が下がり快適性を損なうという課題がある。
【０００７】
本発明は、このような従来の課題を解決するものであり、空気清浄機能をオールシーズン利用できるとともに、加湿量を増大して冬季の乾燥シーズンにおいて大容量の加湿機能を有効に発揮することができ、また加湿気流が使用者に直接に当たらないようにして、体感温度を下げないようにするとともに、吹き出し風向を制御して快適性を向上した加湿機能付空気清浄機を提供することを目的とする。
【課題を解決するための手段】
【０００８】
本発明の加湿機能付空気清浄機は、上記目的を達成するために、本体の側面に設けた吸込口と、本体の上部に設けた吹出口と、前記吸込口と吹出口に連通する空気清浄風路および加湿風路と、前記空気清浄風路に設けた空気清浄フィルターと、前記加湿風路に設けた加湿手段と、第１吸気口、第２吸気口および上吐出口を備えた両吸込送風機を有し、前記空気清浄風路は吸込口、空気清浄フィルター、両吸込送風機の第１吸気口、上吐出口、吹出口の順に連通し、前記加湿風路は吸込口、空気清浄フィルター、加湿手段、両吸込送風機の第２吸気口、上吐出口、吹出口の順に連通し、前記両吸込送風機は、両吸込型遠心ファンおよびケーシングを備え、このケーシングにケーシング内部を吸気口から上吐出口に至るまで空気清浄風路と加湿風路とに分割する仕切板を設け、この仕切板を前記両吸込型遠心ファンの主板のなす同一面上に形成してなるものである。
【０００９】
また、他の手段は、両吸込送風機の上吐出口に、本体の上部に設けた吹出口を直結させてなるものである。
【００１０】
また、他の手段は、加湿風路の吹出口に至る上流側壁面に、本体の前方方向に傾斜する傾斜部を形成してなるものである。
【００１１】
また、他の手段は、本体内にマイナスイオン発生装置を設け、このマイナスイオン発生装置のイオン発生部を空気清浄風路に挿入してなるものである。
【００１２】
また、他の手段は、マイナスイオン発生装置のイオン発生部を、ケーシングの舌部の後流側で、かつ仕切板に近接して設けたものである。
【００１３】
また、他の手段は、ケーシングの舌部の裏側に空気清浄フィルターから第２吸気口まで連通した舌部内風路を設け、この舌部内風路に補助イオン発生部を設けたものである。
【００１４】
また、他の手段は、ケーシングの舌部の裏側に空気清浄フィルターから第２吸気口まで連通した舌部内風路を設け、マイナスイオン発生装置の電源部を前記舌部内風路に当接して設けたものである。
【００１５】
また、他の手段は、吹出口の端部に回動可能に軸支された風向変更板を設け、この風向変更板は仕切板で分離されたマイナスイオンを含む空気清浄気流と加湿気流を混合させるとともに、各気流を一体的に風向変更可能としたものである。
【００１６】
また、他の手段は、吹出口に至るまで延設された仕切板と、この仕切板の後流側に回動可能に軸支された風向変更板を設け、この風向変更板は仕切板で分離された空気清浄気流と加湿気流の、少なくとも一方の風向を変更可能に設けたものである。
【００１７】
また、他の手段は、空気清浄風路を本体の後部側に設け、吸込口を本体の側面後方に設けたものである。
【発明の効果】
【００１８】
本発明によれば、ケーシング内を仕切板により分離することにより、空気清浄風路と加湿風路に分離して、両吸込送風機のケーシング内の圧力差が大きくても、加湿風路内を流れる風量の低下を防いで、加湿能力を十分に発揮させるとともに、ケーシング内の乱流を抑制して騒音を低減できるという効果のある加湿機能付空気清浄機を提供することができる。
【００１９】
また、両吸込送風機の上吐出口を本体の吹出口に直結させて、両吸込送風機の風路圧損を低下させ、また両吸込型遠心ファンにかかる吸込側のアンバランスで大きな負荷を、吐出側でできるだけ軽減させることができる。
【００２０】
また、加湿風路のケーシング側壁に本体前方側への傾斜部を形成することにより、高湿度の空気を本体前方側に方向変更でき、空気清浄気流に合流して流れ方向が絞り込まれ、風速も向上するので室内に高速に吹き出すことができ、加湿された清浄空気を居住空間に効率良く供給できる。
【００２１】
また、イオン発生部を空気清浄風路に設けることにより、湿度変化大なる加湿風路の影響を回避することができ、マイナスイオンを安定的に発生させることができ、またイオン発生部が高湿環境に晒されることがなく、イオン発生部への過剰な水滴による漏電や、錆びなどの劣化を防ぎ耐久性を保つことができる。
【００２２】
また、マイナスイオン発生装置のイオン発生部をケーシングの舌部の後流側に設けることにより、また仕切板がケーシング内の空気の乱れを軽減して、生成されたマイナスイオンが壁面付着などにより減衰するのを抑え、マイナスイオンの発生量を安定化することができる。
【００２３】
また、ケーシングの舌部の裏側に舌部内風路をバイパス風路として設けることにより、吹出風量を増加することができ、また舌部内風路に補助イオン発生部を設けることにより、舌部内風路で生成されたマイナスイオンは加湿風路にも供給されることになり、ケーシングのカビや雑菌などの発生を抑制することができる。
【００２４】
また、マイナスイオン発生装置の電源部を舌部内風路の風路壁の外面に当接して設けることにより、電源部に放熱用の部品を設けることなく、簡単な構成で電源部の放熱を行なうことができ、電源部に湿気などの浸入がなく、品質を確保することができる。
【００２５】
また、吹出口の端部に回動可能に設けた風向変更ルーバは、２層状態のマイナスイオンを含む空気清浄気流と加湿気流とを混合して高湿度の空気清浄気流として風向変更することができ、室内の隅々までマイナスイオンを搬送することができ、またマイナスイオンを含む加湿空気は、微小粉塵を凝集して空気清浄効率を高めることができる。
【００２６】
また、空気清浄風路と加湿風路を分離する仕切板の後流側に設けた風向変更ルーバにより、空気清浄気流と加湿気流との少なくとも一方が風向変更されるので、どちらかの気流を主体的に選択して、目的に合わせて利用することができる。
【００２７】
また、吸込口を本体の側面後方に構成することにより、加湿風路の高湿度気流を室内中央に吹き出し、空気清浄風路の相対的に低湿度の清浄空気を窓方向に吹出して、外気に面した窓ガラスなどの結露を抑制することができる。
【発明を実施するための最良の形態】
【００２８】
本発明の請求項１記載の加湿機能付空気清浄機は、本体の側面に設けた吸込口と、本体の上部に設けた吹出口と、前記吸込口と吹出口に連通する空気清浄風路および加湿風路と、前記空気清浄風路に設けた空気清浄フィルターと、前記加湿風路に設けた加湿手段と、第１吸気口、第２吸気口および上吐出口を備えた両吸込送風機を有し、前記空気清浄風路は吸込口、空気清浄フィルター、両吸込送風機の第１吸気口、上吐出口、吹出口の順に連通し、前記加湿風路は吸込口、空気清浄フィルター、加湿手段、両吸込送風機の第２吸気口、上吐出口、吹出口の順に連通し、前記両吸込送風機は、両吸込型遠心ファンおよびケーシングを備え、このケーシングにケーシング内部を吸気口から上吐出口に至るまで空気清浄風路と加湿風路とに分割する仕切板を設け、この仕切板を前記両吸込型遠心ファンの主板のなす同一面上に形成したものであり、両吸込送風機の吸気口から上吐出口に到る風路を、両吸込送風機の両吸込遠心ファンの主板のなす同一面上に設けた仕切板により分離することにより、ケーシング内を空気清浄風路と加湿風路に分離することができるとともに、加湿風路は空気清浄風路に比べて、空気清浄フィルターと加湿フィルターが介在し、かつ経路長の大なる曲折した風路であるため、両吸込送風機のケーシング内の圧力差が大きくても、仕切板によりケーシング内で各風路が混合しないように分離することができ、加湿風路内を流れる風量の低下を防いで加湿能力を十分に発揮させることができ、さらにケーシング内の流れが乱れやすい条件であっても、整流作用により乱流を抑制し騒音を低減することができるという作用を有する。
【００２９】
また、両吸込送風機の上吐出口に、本体の上部に設けた吹出口を直結したものであり、両吸込送風機の上吐出口を本体の吹出口に直結させることにより、上吐出口から短い距離で室内に吹き出すことができるため、両吸込送風機の吹出側での風路圧損を低下させることができる。また、両吸込型遠心ファンの吸込側は、空気清浄風路と高負荷な加湿風路の２つに分割されており、吸引口の風路圧損に相違が生じやすいが、両吸込型遠心ファンにかかる吸込側のアンバランスで大きな負荷を、吐出側でできるだけ軽減させることができる。という作用を有する。
【００３０】
また、加湿風路の吹出口に至る上流側壁面に、本体の前方方向に傾斜する傾斜部を形成したものであり、加湿風路の吹出口上流側のケーシング側壁に傾斜部を形成し、この傾斜部を本体前方側に傾斜して設けることにより、加湿風路の吐出口から吹き出される高湿度の空気を本体前方側にやや方向変更することができるので、層状に流れる空気清浄気流に浅い角度で合流して風速が向上し、室内の中央方向に高速に吹き出させることができ、室内の居住空間に加湿された清浄空気を効率良く供給し、室内を循環させることができるという作用を有する。
【００３１】
また、本体内にマイナスイオン発生装置を設け、このマイナスイオン発生装置のイオン発生部を空気清浄風路に挿入してなるものであり、高電圧が印加されるイオン発生部からのイオン発生量は湿度変化に依存するので、イオン発生部を湿度変化大なる加湿空気が通過する加湿風路を避けて、空気清浄風路に設けることにより、マイナスイオンを安定的に発生させることができる。また、空気清浄風路にイオン発生部を設けることにより、イオン発生部が高湿環境に晒されることがなく、イオン発生部への過剰な水滴による漏電や、錆びなどの劣化を防ぎ耐久性を保つことができるという作用を有する。
【００３２】
また、マイナスイオン発生装置のイオン発生部を、ケーシングの舌部の後流側で、かつ仕切板に近接して設けたものであり、マイナスイオン発生装置のイオン発生部をケーシングの舌部の後流側に設けることにより、イオン発生部を吹出口から近い距離に構成することができるため、生成されたマイナスイオンが、ケーシング内の空気の乱れやケーシングの壁面付着による減衰するのを抑えることができるとともに、仕切板に近接してイオン発生部を設けているので、仕切板がケーシング内の空気の乱れを軽減して、さらにマイナスイオンの減衰を少なく保ち、マイナスイオンの発生量を安定化することができるという作用を有する。
【００３３】
また、ケーシングの舌部の裏側に空気清浄フィルターから第２吸気口まで連通した舌部内風路を設け、この舌部内風路に補助イオン発生部を設けたものであり、ケーシングの舌部の裏側に空気清浄フィルターから第２吸気口まで連通した舌部内風路を設けることにより、空気清浄風路から加湿風路にバイパスする新たな風路となるので、両吸込送風機の通風抵抗が減少して、吹出風量を増加することができるとともに、舌部内風路にマイナスイオン発生装置の補助イオン発生部を設けることにより、舌部内風路で生成されたマイナスイオンは第２吸気口まで流れ、さらに第２吸気口から上吐出口までの加湿風路にもマイナスイオンが供給されることになり、高湿度空気が流れるケーシング内にカビや雑菌などの発生がしやすい環境であっても、マイナスイオンをケーシング内に流すことにより、カビや雑菌などの発生を抑制することができるという作用を有する。
【００３４】
また、ケーシングの舌部の裏側に空気清浄フィルターから第２吸気口まで連通した舌部内風路を設け、マイナスイオン発生装置の電源部を前記舌部内風路に当接して設けたものであり、マイナスイオン発生装置の電源部を、舌部内風路の風路壁の外面に当接して設けることにより、高温となった電源部の熱が風路壁に伝達されて拡散され、さらに舌部内風路の気流により風路壁が冷やされて放熱されるので、電源部に放熱用の部品を設けることなく、簡単な構成で電源部の放熱を行なうことができる。また、電源部に直接通風することがないので湿気などの浸入がなく、電源部の劣化を抑えて品質を確保することができるという作用を有する。
【００３５】
また、吹出口の端部に回動可能に軸支された風向変更板を設け、この風向変更板は仕切板で分離されたマイナスイオンを含む空気清浄気流と加湿気流を混合させるとともに、各気流を一体的に風向変更可能としたものであり、吹出口の端部に回動可能に軸支された風向変更ルーバにより、空気清浄風路と加湿風路から吹き出された２層状態のマイナスイオンを含む空気清浄気流と加湿気流とを、所望する方向に風向変更するときに混合して高湿度の空気清浄気流として搬送することができ、またマイナスイオンを高湿度の加湿空気に混合することにより、加湿空気中の微細な水粒子の表面にマイナスイオンを付着させて、室内の隅々までマイナスイオンを搬送することができ、さらにマイナスイオンを含む加湿空気は、プラスに帯電した微小粉塵を凝集することにより、粉塵径が大きくなり空気清浄効率を高めることができるという作用を有する。
【００３６】
また、吹出口に至るまで延設された仕切板と、この仕切板の後流側に回動可能に軸支された風向変更板を設け、この風向変更板は仕切板で分離された空気清浄気流と加湿気流の、少なくとも一方の風向を変更可能に設けたものであり、空気清浄風路と加湿風路を分離する仕切板の後流側に風向変更ルーバを設け、この風向変更ルーバにより、分離された状態の空気清浄気流と加湿気流との少なくとも一方を風向変更することにより、空気清浄気流または加湿気流が必要なときに、どちらかの気流を選択して吹き出し方向を変更することができるという作用を有する。
【００３７】
また、空気清浄風路を本体の後部側に設け、吸込口を本体の側面後方に設けたものであり、吸込口を本体の側面後方に構成することにより、加湿風路から発生した高湿度の空気を室内中央方向に吹き出し、空気清浄風路から発生した相対的に低湿度の清浄空気を壁面方向または窓方向に吹出させることができ、外気に面した部屋の壁面や窓ガラスの結露を抑制することができるという作用を有する。
【００３８】
以下、本発明の実施の形態について、図面を参照しながら説明する。
【００３９】
（実施の形態１）
図１〜図３に示すように、本体１側面に吸込口２を設け、本体１上部に吹出口３を設け、吸込口２と吹出口３に連通して空気清浄フィルター６を備えた空気清浄風路４および加湿手段７を備えた加湿風路５を本体１内に設けている。空気清浄風路４と加湿風路５の送風する両吸込送風機１１は、吸気側に第１吸気口８と第２吸気口９を備え、吐出側に上吐出口１０を備えている。空気清浄風路４は吸込口２、空気清浄フィルター６、両吸込送風機１１の第１吸気口８、上吐出口１０、吹出口３の順に連通し、加湿風路５は吸込口２、空気清浄フィルター６、加湿手段７、両吸込送風機１１の第２吸気口９、上吐出口１０、吹出口３の順に連通している。両吸込送風機１１は両吸込型遠心ファン１２およびケーシング１３を備え、ケーシング１３内には仕切板１４を設けている。仕切板１４はケーシング１３内部を第１吸気口８から上吐出口１０に至るまでの空気清浄風路４と、第２吸気口９から上吐出口１０に至るまでの加湿風路５とに分割するものであり、仕切板１４は両吸込型遠心ファン１２の主板１５のなす同一面上に形成されている。
【００４０】
また、両吸込送風機１１の上吐出口１０に、本体１の上部に設けた吹出口３を直結させている。
【００４１】
また、加湿風路５の吹出口３に至る上流側壁面に、本体１の前方方向に傾斜する傾斜部１６を形成している。
【００４２】
上記構成により、両吸込送風機１１の第１、第２吸気口８，９から上吐出口１０に到る風路を、両吸込送風機１１の両吸込遠心ファン１２の主板１５のなす同一面上に設けた仕切板１４により分離することにより、ケーシング１３内を空気清浄風路４と加湿風路５に分離することができる。また、加湿風路５は空気清浄風路４に比べて、空気清浄フィルター６と加湿手段７が共存し、かつ経路長の大なる曲折した風路であるため、両吸込送風機１１のケーシング１３内の圧力差が大きくなる構造であっても、仕切板１４によりケーシング１３内で各風路が混合しないように分離することができ、加湿風路５内を流れる風量の低下を防いで加湿能力を十分に発揮させることができる。さらに、ケーシング１３内の流れが乱れやすい条件であっても、仕切板１４の整流作用により乱流を抑制し騒音を低減することができる。
【００４３】
また、両吸込送風機１１の上吐出口１０を本体１の吹出口３に直結させることにより、上吐出口１０から短い距離で室内に吹き出すことができるため、両吸込送風機１１の吹出側での風路圧損を低下させることができる。また、両吸込型遠心ファン１２の吸込側は、空気清浄風路４と高負荷な加湿風路５の２つに分割されており、吸気口の風路圧損が不均衡になりやすいが、両吸込型遠心ファン１２の吸込側にかかるアンバランスな負荷を、吐出側の負荷を軽減して、両吸込送風機１１に掛かる負荷をできるだけ軽減させることができる。
【００４４】
また、加湿風路５の吹出口３上流側のケーシング１３側壁に傾斜部１６を形成し、この傾斜部１６を本体１前方側に傾斜して設けることにより、加湿風路５の吹出口３から吹き出される高湿度の空気を本体１前方側にやや方向変更することができるので、層状に流れる空気清浄気流に浅い角度で合流して風速が向上し、室内の中央方向に高速に吹き出させることができ、室内の居住空間に加湿された清浄空気を効率良く供給し、室内に循環させることができる。
【００４５】
（実施の形態２）
図４〜図７に示すように、本体１内にマイナスイオン発生装置１７を設け、このマイナスイオン発生装置１７の対向する高圧電極からなるイオン発生部１７ａを空気清浄風路４に挿入している。
【００４６】
また、マイナスイオン発生装置１７のイオン発生部１７ａを、ケーシング１３の舌部１８の後流側で、かつ仕切板１４に近接して設けている。
【００４７】
また、ケーシング１３の舌部１８の裏側に空気清浄フィルター６から第２吸気口９まで連通した舌部内風路１９を設け、この舌部１８内風路に補助イオン発生部２０を備えている。
【００４８】
また、ケーシング１３の舌部１８の裏側に空気清浄フィルター６から第２吸気口９まで連通した舌部内風路１９を設け、マイナスイオン発生装置１７の電源部２１を舌部内風路１９に当接して設けている。
【００４９】
また、吹出口３の端部に回動可能に軸支された風向変更板２２を設け、この風向変更板２２は仕切板１４で分離されたマイナスイオンを含む空気清浄気流と加湿気流を混合させるとともに、各気流を一体的に風向変更可能とした構成としている。
【００５０】
上記構成により、高電圧が印加されるイオン発生部１７ａからのイオン発生量は湿度変化に依存するので、イオン発生部１７ａを湿度変化大なる加湿空気が通過する加湿風路５を避けて、空気清浄風路４に設けることにより、マイナスイオンを安定的に発生させることができる。また、空気清浄風路４にイオン発生部１７ａを設けることにより、イオン発生部１７ａが高湿環境に晒されることがなく、イオン発生部１７ａへの過剰な水滴による漏電や、錆びなどの劣化を防ぎ耐久性を保つことができる。
【００５１】
また、  マイナスイオン発生装置１７のイオン発生部１７ａをケーシング１３の舌部１８の後流側に設けることにより、イオン発生部１７ａを吹出口３から近い距離に構成することができるため、生成されたマイナスイオンが、ケーシング１３内の空気の乱れやケーシング１３の壁面付着による減衰するのを抑えることができるとともに、仕切板１４に近接してイオン発生部１７ａを設けているので、仕切板１４がケーシング１３内の空気の乱れを軽減して、さらにマイナスイオンの減衰を少なく保ち、マイナスイオンの発生量を安定化することができる。
【００５２】
また、ケーシング１３の舌部１８の裏側に空気清浄フィルター６から第２吸気口９まで連通した舌部内風路１９を設けることにより、空気清浄風路４から加湿風路５にバイパスする新たな風路となるので、両吸込送風機１１の通風抵抗が減少して、吹出風量を増加することができる。また、舌部内風路１９にマイナスイオン発生装置１７の対向する高圧電極からなる補助イオン発生部２０を設置することにより、舌部内風路１９で生成されたマイナスイオンは第２吸気口９まで搬送され、さらに第２吸気口９から上吐出口１０までの加湿風路５にもマイナスイオンが供給されることになり、高湿度空気が流れるケーシング１３内にカビや雑菌などの発生がしやすい環境であっても、マイナスイオンをケーシング１３内に流すことにより、カビや雑菌などの発生を抑制することができる。
【００５３】
また、マイナスイオン発生装置１７の電源部２１を、舌部内風路１９の風路壁の外面に当接して設けることにより、高温となった電源部２１の熱が風路壁に伝達されて拡散され、さらに舌部内風路１９の気流により風路壁が冷やされて放熱されるので、電源部２１に放熱用の部品を設けることなく、簡単な構成で電源部２１の放熱を行なうことができる。また、電源部２１に直接通風することがないので湿気などの浸入がなく、電源部２１の劣化を抑えて品質を確保することができる。
【００５４】
また、吹出口３の端部に回動可能に軸支された風向変更板２２により、空気清浄風路４と加湿風路５から吹き出された２層状態のマイナスイオンを含む空気清浄気流と加湿気流とを、所望する方向に風向変更するときに混合して高湿度の空気清浄気流として搬送することができ、さらにマイナスイオンを高湿度の加湿空気に混ぜることにより、加湿空気中の微細な水粒子の表面にマイナスイオンを付着させて、室内の隅々までマイナスイオンを搬送することができる。また、マイナスイオンを含む加湿空気は、プラスに帯電した微小粉塵を凝集することにより、粉塵径が大きくなり空気清浄効率を高めることができる。
【００５５】
（実施の形態３）
図８および図９に示すように、吹出口３に至るまで延設された仕切板１４と、この仕切板１４の後流側に回動可能に軸支された風向変更板２２を設け、この風向変更板２２は仕切板１４で分離された空気清浄気流と加湿気流の、少なくとも一方の風向を変更可能に設けている。
【００５６】
また、空気清浄風路４を本体１の後部側に設け、吸込口２を本体１の側面後方に設けた構成としている。
【００５７】
上記構成により、空気清浄風路４と加湿風路５を分離する仕切板１４の後流側に風向変更板２２を設け、この風向変更板２２により、分離された状態の空気清浄気流と加湿気流との少なくとも一方を風向変更することにより、空気清浄気流または加湿気流が必要なときに、どちらかの気流を選択して吹き出し方向を変更することができる。
【００５８】
例えば、タバコの煙を清浄するときは、空気清浄気流を室内の中心に向けるように風向変更し、室内を加湿したいときは、加湿気流を室内の中心方向に風向変更するというように、目的に合わせて使い分けることができる。
【００５９】
また、吸込口２を本体１の側面後方に構成することにより、加湿風路５から発生した高湿度の空気を室内２３中央方向に吹き出し、空気清浄風路４から発生した相対的に低湿度の清浄空気を壁面方向または窓方向に吹き出させることができ、外気に面した部屋の壁面や窓ガラスの結露を抑制することができる。
【図面の簡単な説明】
【００６０】
【図１】本発明の実施の形態１の加湿機能付空気清浄機の斜視図
【図２】同、概略側面断面図
【図３】同、吹出口付近の拡大図
【図４】本発明の実施の形態２の加湿機能付空気清浄機の正面断面図
【図５】同、概略平面断面図
【図６】同、舌部内風路の拡大図
【図７】同、概略側面断面図
【図８】本発明の実施の形態３の加湿機能付空気清浄機の概略側面断面図
【図９】同、本体を室内に配置したときの風向を示す説明図
【図１０】従来の加湿機能付空気清浄機の概略側面断面図
【図１１】同、正面断面図
【符号の説明】
【００６１】
１      本体
２      吸込口
３      吹出口
４      空気清浄風路
５      加湿風路
６      空気清浄フィルター
７      加湿手段
８      第１吸気口
９      第２吸気口
１０    上吐出口
１１    両吸込送風機
１２    両吸込型遠心ファン
１３    ケーシング
１４    仕切板
１５    主板
１６    傾斜部
１７    マイナスイオン発生装置
１７ａ  イオン発生部
１８    舌部
１９    舌部内風路
２０    補助イオン発生部
２１    電源部
２２    風向変更板
２３    室内
【図１】
2009174790.tif 000003
【図２】
2009174790.tif 000004
【図３】
2009174790.tif 000005
【図４】
2009174790.tif 000006
【図５】
2009174790.tif 000007
【図６】
2009174790.tif 000008
【図７】
2009174790.tif 000009
【図８】
2009174790.tif 000010
【図９】
2009174790.tif 000011
【図１０】
2009174790.tif 000012
【図１１】
2009174790.tif 000013